(57)【要約】【課題】階段のコーナー部の角度を簡便に測定して適正な角度か否かを瞬時に判断でき、コーナー部のアールの適否も判断できる角度測定ゲージを提供する。【解決手段】階段の踏み面５に当てる固定板１と蹴上げ面７に当てる可動板２とを具備し、固定板１には階段コーナー部６に当てるアールの付いた入隅部１ｄが形成され、可動板２は入隅部１ｄのアールの中心点Ｐを回動中心として往復回動するように固定板１に取付けられ、固定板と１可動板２のいずれか一方には角度表示部３が、他方には角度指示部４が設けられた角度測定ゲージＧ１とする。固定板１を踏み面５に当て入隅部１ｄを階段コーナー部に当てて固定し、可動板２を回動させて蹴上げ面７に当てた状態で角度指示部４により指示された角度表示部３を見て階段コーナー部の角度の適否を判断し、入隅部１ｄと階段コーナー部のアールの隙間の有無や大小を見て階段コーナー部のアールの適否を判断する。【選択図】図４
0003126533.tif 000002
【実用新案登録請求の範囲】
【請求項１】
階段の踏み面から蹴上げ面に連なるコーナー部の角度を測定するためのゲージであって、踏み面に当てる固定板と蹴上げ面に当てる可動板とを具備してなり、固定板には階段の上記コーナー部に当てる入隅部が形成されており、可動板はこの入隅部若しくは入隅部の内側の一点を回動中心として往復回動するように固定板に重ねて取付けられており、固定板と可動板のいずれか一方には角度表示部が、他方には角度指示部がそれぞれ設けられていることを特徴とする角度測定ゲージ。
【請求項２】
可動板が、階段の踏み面に当てる固定板の横板部に対して直角に垂下する位置と鋭角に傾斜する位置との間で往復回動するように、固定板に取付けられていることを特徴とする請求項１に記載の角度測定ゲージ。
【請求項３】
固定板の入隅部にアールが形成され、可動板がこの入隅部のアールの中心点を回動中心として往復回動するように固定板に取付けられていることを特徴とする請求項２に記載の角度測定ゲージ。
【請求項４】
固定板に、その入隅部のアールの中心点を中心とする円弧状スリットが形成され、可動板に設けられた摺動子がこの円弧状スリットに摺動自在に嵌め込まれると共に、この摺動子の先端に、円弧状スリットからの摺動子の抜出しを防止する抜止め片が固着されていることを特徴とする請求項３に記載の角度測定ゲージ。
【請求項５】
固定板と可動板のいずれか一方に設けられる角度表示部が、階段のコーナー部の角度が適正な範囲にあるかどうかを目視で確認できるように角度領域を区分したものであることを特徴とする請求項１ないし請求項４のいずれかに記載の角度測定ゲージ。
【請求項６】
可動板の蹴上げ面との当り面に、階段の踏み面及び蹴上げ面に貼着される階段用床材の厚みに相当する凸部が設けられていることを特徴とする請求項１ないし請求項５のいずれかに記載の角度測定ゲージ。
【請求項７】
固定板のアールが形成されていない入隅部の近傍に、階段のコーナー部のアールの適否を判定するアール半径表示部が設けられている請求項１に記載の角度測定ゲージ。
【考案の詳細な説明】
【技術分野】
【０００１】
本発明は、階段の踏み面から蹴上げ面に連なるコーナー部の角度を簡単に測定することができる角度測定ゲージに関する。
【背景技術】
【０００２】
近年、合成樹脂製シートの前縁部を下方に屈曲させた階段用床材を階段に貼り付けることによって、階段昇降時の滑り止めと騒音の低減を図ることが一般的になってきた。このような階段用床材を貼り付ける場合、階段のコーナー部の角度が小さすぎて蹴上げ面が大きく傾斜していると、階段用床材の下方に屈曲させた前縁部を接着剤等で蹴上げ面に貼り付けても、接着剤が硬化するまでに階段用床材の前縁部が合成樹脂の弾性で反り返って蹴上げ面から剥離しやすいため、階段のコーナー部の角度は、階段用床材の前縁部の屈曲角に対応した適正な鋭角とする必要がある。
【０００３】
また、階段のコーナー部のアールが大きすぎると、階段用床材を貼り付けたときに、階段用床材の前縁部が屈曲したコーナー部と階段のコーナー部との間に大きい隙間が生じて、階段用床材のコーナー部が破損しやすくなったり磨滅しやすくなるため、この隙間にコーキング材やシーリング材を注入することが必要になり、施工性が低下するという問題がある。
【０００４】
本出願人は、階段のコーナー部の角度が適正であるかどうかを簡単に判別できる角度測定具として、十字形の角度測定具を既に開発した。この十字形の角度測定具は、４つの入隅部の角度を少しずつ変えたもので、階段のコーナー部にどの角度の入隅部が合うのかを調べることにより、階段のコーナー部の角度が適正であるのかどうかを簡便に測定することができるため、階段用床材の施工業者に重宝されていた。
【０００５】
また、分度器に針を回転自在に取付け、分度器を階段の踏み面に当てると共に針を蹴上げ面に当接させることにより、階段のコーナー部の角度を測定するようにした角度測定具も開発されているようである。しかしながら、本出願人は、斯かる角度測定具や、それ以外の従来の角度測定具を記載した文献の存在については知らない。
【考案の開示】
【考案が解決しようとする課題】
【０００６】
本考案は上記事情の下になされたもので、本出願人が先に開発した十字形の角度測定具に代わる簡便な角度測定ゲージであって、十字形の角度測定具よりもコンパクトであり、階段のコーナー部の角度を簡便に測定できることに加えて、好ましくは、コーナー部のアールの適正、不適性も瞬時に判別することができる便利な角度測定ゲージを提供することを解決課題としている。
【課題を解決するための手段】
【０００７】
上記の課題を解決するため、本考案に係る角度測定ゲージは、階段の踏み面から蹴上げ面に連なるコーナー部の角度を測定するためのゲージであって、踏み面に当てる固定板と蹴上げ面に当てる可動板とを具備してなり、固定板には階段の上記コーナー部に当てる入隅部が形成されており、可動板はこの入隅部若しくは入隅部の内側の一点を回動中心として往復回動するように固定板に重ねて取付けられており、固定板と可動板のいずれか一方には角度表示部が、他方には角度指示部がそれぞれ設けられていることを特徴とするものである。
【０００８】
本考案に係る角度測定ゲージにおいては、可動板が、階段の踏み面に当てる固定板の横板部に対して直角に垂下する位置と鋭角に傾斜する位置との間で往復回動するように、固定板に取付けられていることが好ましい。また、固定板の入隅部にアールが形成され、可動板がこの入隅部のアールの中心点を回動中心として往復回動するように固定板に取付けられていることが好ましい。そして、固定板に、その入隅部のアールの中心点を中心とする円弧状スリットが形成され、可動板に設けられた摺動子がこの円弧状スリットに摺動自在に嵌め込まれると共に、この摺動子の先端に、円弧状スリットからの摺動子の抜出しを防止する抜止め片が固着されていることが好ましい。
【０００９】
更に、本考案の角度測定ゲージにおいては、固定板と可動板のいずれか一方に設けられる角度表示部が、階段のコーナー部の角度が適正な範囲にあるかどうかを目視で確認できるように角度領域を区分したものであることが好ましく、また、可動板の蹴上げ面との当り面に、階段の踏み面及び蹴上げ面に貼着される階段用床材の厚みに相当する凸部が設けられていることが好ましい。そして、固定板のアールが形成されていない入隅部の近傍に、階段のコーナー部のアールの適否を判定するアール半径表示部が設けられていることも好ましい。
【考案の効果】
【００１０】
本考案の角度測定ゲージは、その固定板を階段の踏み面に当てると共に、固定板の入隅部を階段のコーナー部に当てることによって固定板を固定し、可動板を回動させて階段の蹴上げ面に当てた状態で、角度指示部により指示された角度表示部を見ることによって、階段のコーナー部の角度を簡単に測定することができる。このように固定板と可動板からなる本考案の角度測定ゲージは扱い易く、本出願人が先に開発した従来の十字形の角度測定具よりもコンパクトであり、特に、階段のコーナー部の角度が適正な範囲にあるかどうかを目視で確認できるように角度領域を区分した角度表示部が設けられているものは、角度指示部が角度表示部のどの角度領域を指示するかを見るだけで、瞬時に階段のコーナー部の角度が適正であるか否かを判別することができる。
【００１１】
また、本考案の角度測定ゲージは、可動板が固定板の入隅部若しくは入隅部の内側の一点を回動中心として往復回動するように固定板に重ねて取付けられているので、可動板を回動させたときに、固定板の入隅部が回動する可動板によって入隅部の位置が移動することがなく、更に、入隅部にアールを形成してこのアールの中心点を回動中心として可動板が回動するようにした角度測定ゲージは、可動板が入隅部のアールの内側へ入り込んで階段のコーナー部に当たることがないので、可動板をスムーズに回動させてコーナー部の角度測定を行うことができる。特に、固定板に、入隅部のアールの中心点を中心とする円弧状スリットを形成して可動板の摺動子をこの円弧状スリットに摺動自在に嵌め込むとと共に、この摺動子の先端に抜止め片を固着したものは、構造が簡単であるにも拘わらず、入隅部のアールを保持したまま可動板をスムーズに回動させることができるので、角度測定操作が一層しやすくなる。そして、この入隅部のアールと階段のコーナー部のアールとの隙間の有無や大小をみれば、階段のコーナー部のアールが適正であるのかどうか、瞬時に判別することもできる。また、固定板のアールが形成されていない入隅部の近傍に、階段のコーナー部のアールの適否を判定するアール半径表示部が設けられた角度測定ゲージも、後述するように、この固定板の入隅部を階段コーナー部に当てたまま、階段コーナー部のアールの一端がアール半径表示部の適正範囲内に位置するかどうかを見るだけで、瞬時に階段コーナー部のアールの適否を知ることができる。
【００１２】
また、可動板を、階段の踏み面に当てる固定板の横板部に対して直角に垂下する位置と鋭角に傾斜する位置との間で往復回動するように固定板に取付けた角度測定ゲージは、可動板の回動範囲に無駄が殆どないので、角度測定操作を更に効率良く行うことができる。そして、可動板の蹴上げ面との当り面に、階段の踏み面及び蹴上げ面に貼着される階段用床材の厚みに相当する凸部を設けた角度測定ゲージは、階段用床材を貼着した状態での角度の適正、不適正を知ることができるので、より正確な判断をすることができる。
【考案を実施するための最良の形態】
【００１３】
以下、図面を参照して、本考案の具体的な実施形態を詳述する。
【００１４】
図１は本考案の一実施形態に係る角度測定ゲージの斜視図、図２は同角度測定ゲージの分解斜視図、図３は同角度測定ゲージの正面図、図４は同角度測定ゲージの使用状態を示す正面図である。
【００１５】
この角度測定ゲージＧ１は、階段の踏み面に当てる固定板１と、階段の蹴上げ面に当てる可動板２を具備したものであって、固定板１は、階段の踏み面に当てる横板部１ａと縦板部１ｂとをコーナー部１ｃを介して一体に形成した合成樹脂製のＬ形の板とされている。そして、この固定板１のコーナー部１ｃの入隅部１ｄには、階段の踏み面から蹴上げ面に連なるコーナー部に適した曲率半径のアールが形成されており、このコーナー部の出隅部１ｅにも大きいアールが形成されている。
【００１６】
また、この固定板１のコーナー部１ｃには、入隅部１ｄの内側の一点、即ち、この実施形態では入隅部１ｄのアールの中心点Ｐを中心とする１／４円弧状のスリット１ｆが形成され、この円弧状スリット１ｆの外周側のコーナー部には、階段のコーナー部の角度が適正な範囲にあるかどうかを目視で確認できるように角度領域を区分した角度表示領域３、即ち、この実施形態においては適正角度領域３ａと許容角度領域３ｂと不適正角度領域３ｃに区分した角度表示領域３が設けられている。適正角度領域３ａは階段のコーナー部の角度が適正な範囲にあることを示す領域であり、許容角度領域３ｂは階段のコーナー部の角度が適正な範囲ではないけれども許容できる範囲にあることを示す領域であり、不適正角度領域３ｃは階段のコーナー部の角度が許容できない不適性な範囲にあることを示す領域である。
【００１７】
一方、可動板２は、固定板１のコーナー部１ｃから縦板部１ｂに対応合致した形状を有する合成樹脂製の板とされており、この可動板２には、固定板１の前記円弧状スリット１ｆに嵌め込まれる１／８円弧状の摺動子２ａが設けられている。そして、この摺動子２aが固定板1の円弧状スリット１ｆに摺動自在に嵌め込まれると共に、この摺動子２ａの先端に、円弧状スリット１ｆからの摺動子２ａの抜出しを防止する扇状の抜止め片２ｂが固着されている。従って、この可動板２はその摺動子２ｂが円弧状スリット１ｆの内部を摺動しながら、固定板１の横板部１ａに対して直角に垂下する位置と鋭角（４５°）に傾斜する位置との間で往復回動するように、固定板１のコーナー部１ｃ及び縦板部１ｂに重ねて取付けられている。このように可動板２を固定板１に取付けると、可動板２を回動させたときに可動板２が固定板の入隅部１ｃのアールの内側へ入り込んで階段のコーナー部に当たることがないので、アールを保持したまま可動板２をスムーズに回動させて階段のコーナー部の角度測定を作業性良く行うことができる。
【００１８】
可動板２の摺動子２ａに固着された扇形の抜止め片２ｂは、その一側端が角度指示部４として利用されており、可動板２を回動させたときに、この抜止め片２ｂの一側端の角度指示部４が角度表示部３のどの領域を指示するのかを見て、角度が適正か否かを瞬時に判断できるようにしているが、例えば、この抜止め片２ｂに角度指示部４として指示針などを設けるようにしても勿論良い。
【００１９】
また、この実施形態の角度測定ゲージＧ１では、角度表示部３として、既述した適正角度領域３ａと許容角度領域３ｂと不適正角度領域３ｃを設けることにより、一目で角度が適正であるのか否かを知ることができるようにしているが、角度表示部３として、角度を１°ごとに示す目盛などを設けても勿論よい。また、角度表示部３を、この実施形態とは逆に、扇形の抜止め片２ｂに設け、角度指示部４を固定板１のコーナー部１ｃに設けるようにしてもよい。
【００２０】
以上のような構成の角度測定ゲージＧ１を用いて、階段の踏み面から蹴上げ面に連なるコーナー部の角度を測定する場合は、図４に示すように、角度測定ゲージＧ１の固定板１の横板部１ａを階段の踏み面５に当てると共に、固定板１のアールの付いた入隅部１ｄを階段のコーナー部６に当てることによって固定板１を固定し、可動板２を回動させて階段の蹴上げ面７に当てた状態で、抜止め片２ｂの一側端の角度指示部４が角度指示部３の適正角度領域３ａ、許容角度領域３ｂ、不適正角度領域３ｃのどの領域を指示するのかを見ることによって、瞬時に階段のコーナー部の角度が適正であるのか否かを知ることができる。そして、固定板１のアールの付いた入隅部１ｄと階段のコーナー部６との隙間の有無や大小を見れば、階段のコーナー部６のアールが適正であるのかどうか、瞬時に判別することもできる。また、このような角度測定ゲージＧ１は、従来の十字形の角度測定具に比べてコンパクトであるため、持ち運びするのに便利である。
【００２１】
図５は本考案の他の実施形態に係る角度測定ゲージの拡大部分正面図である。
【００２２】
この角度測定ゲージＧ２は、固定板１の入隅部１ｄをアールが形成されない直角の入隅部１ｄとし、この入隅部を回動中心としている。そして、入隅部１ｄの近傍の横板下端部に、階段コーナー部６のアールの適否を判定するアール半径表示部８が設けられている。この角度測定ゲージＧ２の他の構成は前述した角度測定ゲージＧ１と同様であるので、図５において同一部分に同一符号を付し、説明を省略する。
【００２３】
このような角度測定ゲージＧ２は、固定板１の入隅部１ｄを階段コーナー部６に当てたまま、階段コーナー部６のアールの一端（上端）がアール半径表示部８の適正範囲内に入っているのかどうかを見るだけで、瞬時に階段コーナー部６のアールの大きさ（半径）の適否を知ることができる。
【００２４】
図６は本考案の他の実施形態に係る角度測定ゲージの正面図である。
【００２５】
この角度測定ゲージＧ３は、可動板２の蹴上げ面７との当り面に、階段の踏み面５及び蹴上げ面７に貼着される階段用床材の厚みに相当する凸部２ｃが設けられている。この角度測定ゲージＧ３の他の構成は前述した角度測定ゲージＧ１と同様であるので、図５において同一部分に同一符号を付し、説明を省略する。
【００２６】
このような角度測定ゲージＧ３は、階段用床材の厚みに相当する凸部２ｃを設けることによって、階段用床材を貼着した状態での階段コーナー部６の角度の適正、不適正を知ることができるので、より正確な判断をすることができる利点がある。
【図面の簡単な説明】
【００２７】
【図１】本考案の一実施形態に係る角度測定ゲージの斜視図である。
【図２】同角度測定ゲージの分解斜視図である。
【図３】同角度測定ゲージの正面図である。
【図４】同角度測定ゲージの使用状態を示す正面図である。
【図５】本考案の他の実施形態に係る角度測定ゲージの拡大部分正面図である。
【図６】本考案の更に他の実施形態に係る角度測定ゲージの正面図である。
【符号の説明】
【００２８】
１    固定板
１ａ  横板部
１ｂ  縦板部
１ｃ  固定板のコーナー部
１ｄ  入隅部
１ｆ  湾曲スリット
２    可動板
２ａ  摺動子
２ｂ  抜止め片
２ｃ  凸部
３    角度表示部
３ａ  適正角度領域
３ｂ  許容角度領域
３ｃ  不適正角度領域
４    角度指示部
５    階段の踏み面
６    階段のコーナー部
７    階段の蹴上げ面
８    アール半径表示部
Ｇ１，Ｇ２，Ｇ３  角度測定ゲージ
Ｐ  入隅部のアールの中心点
【図１】
0003126533.tif 000003
【図２】
0003126533.tif 000004
【図３】
0003126533.tif 000005
【図４】
0003126533.tif 000006
【図５】
0003126533.tif 000007
【図６】
0003126533.tif 000008